(57)【要約】【課題】シンプル，かつ堅牢な構造で回路遮断器のハンドルへの取り付け，取り外し、およびロック操作が簡単に行える操作性，信頼性に優れた回路遮断器のハンドルロック装置を提供する。【解決手段】回路遮断器のケースカバー開口部２ａを通して摘まみ部３ａが外方に突き出した開閉操作用のロッカー式ハンドル３をＯＦＦ操作位置に鎖錠するためのハンドルロック５を、ＯＦＦ操作位置でハンドルの摘まみ部に嵌合するキャップ部６ａを端部に一体形成してカバー開口部に嵌挿するロック部材６と、該ロック部材の側面に重ね合わせてｌｏｃｋ，ｏｐｅｎ位置の間で傾動可能に軸支し、かつｌｏｃｋ位置に倒した状態でハンドル摘まみの根元部に形成した凹部３ｂに係合する爪部７ａを形成したストッパ片７との組立体で構成し、かつロック部材とストッパ片の合わせ面に鍵掛け穴６ｂ，７ｂを開口しておき、ここに南京錠を掛けてハンドルをＯＦＦ操作位置に鎖錠する。【選択図】        図１
2006019203.tif 000002
【特許請求の範囲】
【請求項１】
ケースカバーの開口部を通して摘まみ部が外方に突き出した開閉操作用のロッカー式ハンドルをＯＦＦ操作位置に鎖錠するための回路遮断器のハンドルロック装置であって、
前記ハンドルのＯＦＦ操作位置で摘まみ部に嵌合するキャップ部を端部に一体形成してカバー開口部のＯＮ側端縁との間の間隙に嵌挿するロック部材と、該ロック部材の側面に重ね合わせて「ロック」，「オープン」位置の間で傾動可能に軸支し、かつ「ロック」位置に倒した状態で摘まみの根元部に形成した凹部に係合する爪付きストッパ片との組立体で構成したことを特徴とする回路遮断器のハンドルロック装置。
【請求項２】
請求項１記載のハンドルロック装置において、ロック部材およびストッパ片が硬質の樹脂成形品になり、かつストッパ片の「ロック」位置で互いに重なり合う面に南京錠のシャックルを通す鍵掛け穴を開口したことを特徴とする回路遮断器のハンドルロック装置。
【請求項３】
請求項２記載のハンドルロック装置において、鍵掛け穴を複数箇所に分散して形成したことを特徴とする回路遮断器のハンドルロック装置。
【発明の詳細な説明】
【技術分野】
【０００１】
本発明は、配線用遮断器，漏電遮断器などを対象とした回路遮断器のハンドルロック装置に関する。
【背景技術】
【０００２】
頭記の配線用遮断器，漏電遮断器は低圧配電設備のコンポーネントとして、配電盤に設置して使用されることが多い。一方、この配電盤の保守点検を行う際には、作業上の安全確保のために前記回路遮断器をＯＦＦにして盤内の主回路を非活線状態にして作業を行うようにしており、かつこの場合には回路遮断器のハンドルをＯＦＦ操作位置に鎖錠して、盤内での保守作業中に誤操作により回路遮断器が不測に投入されないようにする安全管理が必要である。
そのために、従来より回路遮断器をＯＦＦ操作位置に鎖錠する各種方式のハンドルロック装置が提案されており、特にロッカー式ハンドルを装備した回路遮断器に適用するハンドルロック装置として、ユーザーサイドの使用現場に設置されている回路遮断器に対し、そのケースカバーの開口部から外方に突き出たハンドルの摘まみ部に取り付けてケースカバーの開口縁に掛止するようにした構成のロックカバー、さらにこのロックカバーに別な部品を組み合わせて南京錠が掛けられるように構成したものが知られている（例えば、特許文献１参照）。
【特許文献１】特開平９−２７０２２４号公報
【発明の開示】
【発明が解決しようとする課題】
【０００３】
ところで、特許文献１に開示されている従来のハンドルロックカバーは、構造が複雑で回路遮断器への取り付けに手間がかかるほか、ハンドルへの取り付けに際して、Ｕ字形のロックカバーを押し広げながら摘まみ部の外側に係止させるように撓み性をもたせた軟質の樹脂成形品で作られているために十分な強度が確保できず、南京錠を掛けない状態では僅かな外力を加えることで簡単にハンドルから外れてしまうなど、その取扱い性，信頼性に問題がある。
本発明は上記の点に鑑みなされたものであり、その目的は前記課題を解決し、シンプル，かつ堅牢な構造で回路遮断器のハンドルへの取り付け，取り外し、およびロック操作が簡単に行えるように鎖錠方式を改良して操作性，信頼性の向上が図れるようにした回路遮断器のハンドルロック装置を提供することにある。
【課題を解決するための手段】
【０００４】
上記目的を達成するために、本発明によれば、ケースカバーの開口部を通して摘まみ部が外方に突き出した開閉操作用のロッカー式ハンドルをＯＦＦ操作位置に鎖錠する回路遮断器のハンドルロック装置を次記のように構成する。
すなわち、前記ハンドルのＯＦＦ操作位置で摘まみ部に嵌合するキャップ部を端部に一体形成してカバー開口部のＯＮ側端縁との間の間隙に嵌挿するロック部材と、該ロック部材の側面に重ね合わせて「ロック」，「オープン」位置の間で傾動可能に軸支し、かつ「ロック」位置に倒した状態で摘まみの根元部に形成した凹部に係合する爪付きストッパ片との組立体で構成するものとし（請求項１）、さらに安全性を高めるために次記のような態様を付加して構成することができる。
（１）前記のロック部材およびストッパ片を堅牢な硬質樹脂成形品で構成し、かつストッパ片の「ロック」位置で互いに重なり合う面に鍵掛け穴を開口し、ロック部材を回路遮断器に装着した状態で、さらに前記穴に南京錠を掛けてロック部材がハンドルから外せないようにする（請求項２）。
（２）前記鍵掛け穴を複数箇所に分散して形成し、同時に複数の南京錠を掛けられるようにする（請求項３）。
【発明の効果】
【０００５】
上記構成のハンドルロック装置を用いて、回路遮断器のハンドルをＯＦＦ操作位置に鎖錠するには、先ずハンドルをＯＦＦ操作位置に倒して回路遮断器を開極した状態で、ハンドルロックの向きをケースカバーの開口部に合わせて前記キャップ部をハンドルの摘まみ部に被せ、同時にロック部材を摘まみ部とＯＮ側のカバー開口縁との間の間隙に介挿する。次いで、ロック部材に組み付けてあるストッパ片を「オープン」位置から「ロック」位置に倒してストッパ片の爪をハンドル摘まみ部の根元に形成した凹部に圧入して係止させる。この操作によりハンドルはＯＦＦ操作位置に拘束保持されるとともに、ロック部材自身がハンドルに係止される。また、ハンドルロックの装着状態で、ロック部材とストッパ片との重なり面に開口した鍵掛け穴に南京錠のシャックルを通して施錠すれば、南京錠を解錠しない限りハンドルロックをハンドルから外すことかできず、ハンドルはＯＦＦ操作位置に鎖錠されることになる。しかも、この鍵掛け穴を複数箇所に分けて形成しておくことにより、例えば回路遮断器を装備した配電盤の保守点検作業を複数グループの作業員で分担しながら行う場合に、グループ別に割り当てた複数の南京錠を掛けておけば、作業終了後にハンドルの鎖錠を外して配電盤を再運転する際にグループごとに作業完了の確認をとることができて高い安全性が得られる。
【発明を実施するための最良の形態】
【０００６】
以下、本発明の実施の形態を図１〜図４に示す実施例に基づいて説明する。ここで、図1（ａ），（ｂ）はそれぞれ回路遮断器にハンドルロックを装着する前，後の状態を表した断面図、図２，図３はそれぞれ回路遮断器のハンドルにハンドルロックを装着したロック前の状態，およびロック後に南京錠を掛けた状態を表す図、さらに図４（ａ）〜（ｄ）はハンドルロックを構成するロック部材，ストッパ片，およびその組立構造を示す。また、実施例の図中で、１は回路遮断器のケース、２はケースカバー、３は回路遮断器に装備した開閉操作用のロッカー式ハンドル、４はハンドル３と開閉機構（図示せず）との間を連繋するハンドルレバー、５は本発明によるハンドルロック、６，７はハンドルロック５の構成部品であるロック部材，およびストッパ片、８は南京錠である。
次に、ハンドルロック５の構造を図４（ａ）〜（ｄ）で説明する。ここで、ロック部材６は堅牢な硬質樹脂成形品になり、図４（ａ）および（ｂ）で示すように、後部に設けた角筒形のキャップ部６ａから前方に向けて二枚の壁板が左右に延在し、かつ片方の壁板（左側）には三箇所に分散して鍵掛け穴（丸穴）６ｂが開口している。また、壁板の底部側には左右の壁板の間に跨がる半円形の支軸６ｃを有し、さらに壁板の先端側内壁面には支軸６ｃと同心に円弧状の突起ガイド６ｄが形成されている。
【０００７】
一方、ストッパ片７は、図４（ｃ）で示すように前記ロック部材６の壁板形状に合わせたＬ字形の硬質樹脂成形板になり、その下端後部のコーナーには突起状の爪部７ａを有し、板面にはロック部材６の鍵掛け穴６ｂと対応する箇所に鍵掛け穴７ｂが開口している。さらに、下端側にはロック部材６の支軸６ｃに嵌合する半円溝７ｃと、突起ガイド６ｄに対応する円弧状の凹溝７ｄ，および該凹溝７ｄに向けて突き出すように切り起こした舌片状のラチエット爪７ｅが形成されている。
図４（ｄ）はハンドルロック５の組立状態図で、ストッパ片７はロック部材６に対して左右の壁板の間に嵌挿して前記支軸６ｃに半円溝７ｃを重ねるとともに、突起ガイド６ｄに凹溝７ｄを嵌め合わせ、支軸６ｃを支点にして矢印Ｐ方向に傾動可能に軸支保持させる。なお、ストッパ片７の回動範囲は、前記ラチエット爪７ｅと突起ガイド６ｄとで規制するようにしている。
【０００８】
次に、前述のハンドルロック５を用いて回路遮断器のハンドルをＯＦＦ操作位置に鎖錠する際の手順を図１〜図３で説明するとして、その前に回路遮断器のロッカー式ハンドルの構造を述べる。すなわち、ハンドル３は樹脂成形品で、ハンドルの中央部から上方に起立した摘まみ部３ａがケースカバー２の上面中央に開口した開口部２ａを通して外方に突き出している。そして、回路遮断器をＯＮ，ＯＦＦ操作する場合には、ハンドル３の摘まみ部３ａを手動で操作し、図中に表したＯＮ，ＯＦＦ位置に倒す。これにより図示してない開閉機構部が応動して主回路接点（図示せず）を閉成，開極することは周知の通りである。また、図示実施例の回路遮断器では、ハンドル３の摘まみ部３ａについて、ＯＮ側（図面の左側）に向いた根元部分に、後記のようにハンドルロック５のストッパ片と係合する凹部３ｂを形成しておくものとする。
【０００９】
そして、ハンドルロック５を用いて回路遮断器のハンドル３をＯＦＦ操作位置に鎖錠するには、ハンドルロック５のストッパ片７を図１（ａ）のようにｏｐｅｎ側に倒した状態で、上方からハンドルロック５のキャップ部６ａをハンドル３の摘まみ部３ａに挿入しロック部材６の先端をケースカバー２の開口部２ａに嵌挿する。図２はこの状態を表し、ロック部材６がケースカバー２の開口部２ａを塞いでハンドル３をＯＦＦ操作位置に拘束する。続いてストッパ片７をｌｏｃｋ位置に倒すと、図１（ｂ）で示すように、ストッパ片７の先端爪部７ａが摘まみ部３ａの凹部３ｂに圧入してハンドル３と係合し、これによりハンドルロック５はハンドル３から抜けないようになって簡易なロックが行えるとともに、ストッパ片７の鍵掛け穴７ｂがロック部材６の壁板に開口する鍵掛け穴６ｂに重なり合うようになる。
【００１０】
また、確実にハンドルをロックしたい場合には、前記状態で鍵掛け穴６ｂ，７ｂに南京錠８のシャックルを通して施錠する。これにより、ハンドル３をＯＦＦ操作位置で完全に鎖錠することができる。図３は複数の南京錠８をハンドルロック５の鍵掛け穴に掛けた状態を表している。
なお、ハンドルロック５をハンドル３から外すには、南京錠８を解錠してハンドルロック５から抜き取った後、ストッパ片７をｌｏｃｋからｏｐｅｎ位置に倒して図２の状態に戻して上方に引き抜く。
【図面の簡単な説明】
【００１１】
【図１】本発明の実施例によるハンドルロック装置の構成，使用説明図で、（ａ），（ｂ）はそれぞれ回路遮断器のハンドルにハンドルロックを装着する際の装着前，装着後の状態を表した断面側視図
【図２】図１の回路遮断器のハンドルに装着したハンドルロックのストッパ片をロックする前の状態を表す俯瞰図
【図３】図２の状態からハンドルロックのストッパ片をロック位置に倒して南京錠を掛けた状態を表す俯瞰図
【図４】図１におけるハンドルロックの詳細構造図で、（ａ），（ｂ）は異なる角度から見たロック部材の立体図、（ｃ）はストッパ片の立体図、（ｄ）はロック部材にストッパ片を組み付けたハンドルロックの組立状態を表す立体図
【符号の説明】
【００１２】
１    回路遮断器のケース
２    カバー
３    ハンドル
３ａ  摘まみ部
３ｂ  凹部
５    ハンドルロック
６    ロック部材
６ａ  キャップ部
６ｂ  鍵掛け穴
７    ストッパ片
７ａ  爪部
７ｂ  鍵掛け穴
８    南京錠
【図１】
2006019203.tif 000003
【図２】
2006019203.tif 000004
【図３】
2006019203.tif 000005
【図４】
2006019203.tif 000006